(57)【特許請求の範囲】
【請求項１】
送電線鉄塔のアームに取付けられる取付金具と、
前記取付金具に吊下される吊り部材と、
前記吊り部材の下部に軸支されるとともに、上部の両側に耐張碍子装置の取付部をそれぞれ有し、かつ、中間に前記吊り部材との間で設けられるシェアピンを有する垂直部材と、
からなる懸垂吊状耐張碍子装置。
【発明の詳細な説明】
【０００１】
【発明の属する技術分野】
本発明は懸垂吊状耐張碍子装置に係り、特に、右左にそれぞれ張設された送電線に不平衡張力が発生したときに対処できるようにしたものに関する。
【０００２】
【従来の技術】
図４（ａ）は、従来の不平衡張力発生に対処できる懸垂吊状耐張碍子装置の一部を省略した正面図、同図（ｂ）はその右側面図である。
【０００３】
図４（ａ），（ｂ）中、１は、送電線鉄塔のアーム（図示せず）へ取付けられる取付金具、２ａ，２ｂは、その取付金具１から支軸３を介して吊下された二股状の吊り部材、４ａ，４ｂは、それら吊り部材２ａ，２ｂの下端部に支軸５ａ，５ｂを介してそれぞれ軸支され、通常時は、直立状に設けられる２枚の中間部材、６は、それら中間部材４ａ，４ｂ間に位置してそれら中間部材４ａ，４ｂの上端部に支軸７を介して上端部が軸支された細長の三角形状の垂直部材である。この垂直部材６の下側両端部には、支軸８ａ，８ｂを介して耐張碍子装置９ａ，９ｂが対称的にそれぞれ連結されている。
【０００４】
図４（ａ），（ｂ）中、１０は、シェアピンであって、支軸５ａ，５ｂと支軸７とのほぼ中間付近に設けられている。すなわち、このシェアピン１０は、両中間部材４ａ，４ｂと垂直部材６との間を貫通して設けられ、これら部材を連繋させている。したがって、垂直部材６の下端に作用する不平衡張力がこのシェアピン１０を剪断する程に大きくないときには、中間部材４ａ，４ｂと垂直部材６とは重複状態を維持することができる。
【０００５】
上記構成の懸垂吊状耐張碍子装置において、例えば、左側に位置する図示しない送電線に切断事故が発生した場合、右側に位置する耐張碍子装置９ｂ側に大きな不平衡張力が発生する。
【０００６】
シェアピン１０は、このような不平衡張力により剪断されると、図５に示されるように、中間部材４ａ，４ｂと垂直部材６との間の拘束が解かれ、吊り部材２ａ，２ｂ、中間部材４ａ，４ｂ及び垂直部材６が一直線状に変化し、送電線の切断時における不平衡張力を緩和し、送電線鉄塔等を保護することができる。
【０００７】
なお、図４（ａ），（ｂ）及び図５では省略されているが、吊り部材２ａ，２ｂ、中間部材４ａ，４ｂ及び垂直部材６が一直線状に開かれるときに、これらが徐々に開かれるように、ばねからなる緩衝部材が設けられている。
【０００８】
【発明が解決しようとする課題】
上記従来の懸垂吊状耐張碍子装置は、送電線切断事故により張力の不平衡が発生したときの衝撃及び張力を緩和できるという特長を有しているが、送電線の地上高さが低くなる欠点があった。すなわち、上記従来の張力の不平衡が発生したときの衝撃及び張力を緩和できるようにした懸垂吊状耐張碍子装置は、シェアピンで接続されている中間部材及び垂直部材の長さ分だけ送電線が地上に近くなり、この分だけ、送電線鉄塔を大型化しなければならないという欠点があった。
【０００９】
また、上記従来の張力の不平衡が発生したときの衝撃及び張力を緩和できるようにした懸垂吊状耐張碍子装置は、部品点数が多く、コスト高になる欠点があった。
【００１０】
そこで、本発明は、上記欠点を解決するためになされたものであって、その目的は、地上高さを改善することのできるとともに、部品点数の少ない懸垂吊状耐張碍子装置を提供することにある。
【００１１】
【課題を解決するための手段】
本発明に係る懸垂吊状耐張碍子装置は、上記目的を達成するために、送電線鉄塔のアームに取付けられる取付金具と、その取付金具に吊下される吊り部材と、その吊り部材の下部に軸支されるとともに、上部の両側に耐張碍子装置の取付部をそれぞれ有し、かつ、中間に前記吊り部材との間で設けられるシェアピンを有する垂直部材と、からなることを特徴としている。
【００１２】
【発明の実施の形態】
以下、本発明の実施の形態を説明する。図１は、一実施の形態に係る懸垂吊状耐張碍子装置の正面図、図２は、図１の右側面図である。なお、上記図４（ａ），（ｂ）及び図５と同じ機能を果たす部材には、下２桁の符号を同じ符号としている。
【００１３】
図１中、１０１は、送電線鉄塔のアーム（図示せず）へ取付けられる取付金具、１０１′は、その取付金具１０１に連結される連結金具、１０２ａ，１０２ｂは、その連結金具１０１′から支軸１０３を介して吊下された二股状の吊り部材である。
【００１４】
図１中、１０６は、吊り部材１０２，１０２間に位置し、それら吊り部材１０２ａ，１０２ｂの下端部に支軸１０７を介して下端部が軸支された細長の逆三角形状の垂直部材である。この垂直部材１０６の上側両端部には、接続金具イ，イを介して耐張碍子装置ロ，ロを取付けるための取付孔１０９ａ′，１０９ｂ′が対称的にそれぞれ設けられている。
【００１５】
図１中、１１０は、シェアピンであって、垂直部材１０６のほぼ中間の位置に設けられている。すなわち、このシェアピン１１０は、両吊り部材１０２ａ，１０２ｂと垂直部材１０６との間に貫通させて設けられ、これら部材を連繋させている。したがって、垂直部材１０６の上端に作用する不平衡張力がこのシェアピン１１０を剪断する程に大きくないときには、吊り部材１０２ａ，１０２ｂと垂直部材１０６とは重複状態を維持することができる。
【００１６】
図１中、ハは、ばね部材からなる緩衝部材であって、両吊り部材１０２ａ，１０２ｂ及び垂直部材１０６の下面部分を覆うように支軸１０７に設けられている。したがって、この緩衝部材イは、吊り部材１０２ａ，１０２ｂ及び垂直部材１０６が一直線状に開かれるときに、これらが徐々に開かれるように機能することができる。
【００１７】
上記構成の懸垂吊状耐張碍子装置において、例えば、左側に位置する図示しない送電線に切断事故が発生した場合、右側に位置する取付孔１０９ｂ′に取付けられている耐張碍子装置ロ側に衝撃的な不平衡張力が発生する。
【００１８】
シェアピン１１０は、このような不平衡張力により剪断されると、図３に示されるように、吊り部材１０２ａ，１０２ｂと垂直部材１０６との間の拘束が解かれ、連結金具１０１′、吊り部材１０２ａ，１０２ｂ及び垂直部材１０６が一直線状に変化し、送電線の切断時における衝撃を緩和し、送電線鉄塔等を保護することができる。
【００１９】
【発明の効果】
本発明に係る懸垂吊状耐張碍子装置は、送電線鉄塔のアームに取付けられる取付金具と、その取付金具に吊下される吊り部材と、その吊り部材の下部に軸支されるとともに、上部の両側に耐張碍子装置の取付部をそれぞれ有し、かつ、中間に前記吊り部材との間で設けられるシェアピンを有する垂直部材とからなるので、送電線を垂直部材の上端側で支持でき、送電線の地上高さを改善することができる。また、従来の中間部材を有しないので、部品点数が少なく、しかも構造を簡単にでき、低コストに製造することができる。
【図面の簡単な説明】
【図１】本発明の一実施の形態に係る懸垂吊状耐張碍子装置の正面図である。
【図２】図１の右側面図である。
【図３】シェアピンが剪断された状態を示す説明図である。
【図４】（ａ）は、従来の懸垂吊状耐張碍子装置の正面図、（ｂ）は、その右側面図である。
【図５】従来の懸垂吊状耐張碍子装置のシェアピンが剪断された状態を示す説明図である。
【符号の説明】
１０１  取付金具
１０２ａ，１０２ｂ  吊り部材
１０６  垂直部材
１０９ａ′，１０９ｂ′  取付孔
１１０  シェアピン
イ  接続金具
ロ  耐張碍子装置
ハ  緩衝部材
【図１】
0004632533.tif 000002
【図２】
0004632533.tif 000003
【図３】
0004632533.tif 000004
【図４】
0004632533.tif 000005
【図５】
0004632533.tif 000006